(57)【特許請求の範囲】
【請求項１】
第１の方向に延在する複数の第１電極と、
前記第１の方向と交差する方向に延在する複数の第２電極と、
前記第１電極と前記第２電極とを絶縁分離する絶縁層と
を備え、
前記第２電極は、前記第１電極と同一の層内に形成された複数の第１島状電極と、互いに隣接する２つの第１島状電極同士を電気的に接続すると共に前記第１電極をまたぐ中継電極とにより構成された帯状電極であり、
前記絶縁層は、前記中継電極の、長手方向の両端部に対応する位置にコンタクトホールを有し、
前記中継電極の、長手方向の両端部に対応して設けられた２つのコンタクトホール間の距離は、前記中継電極の、長手方向の両端部に接する２つの第１島状電極間の距離よりも短くなっている
タッチパネル。
【請求項２】
前記第１島状電極の端部が前記コンタクトホール内に露出する領域は、当該コンタクトホール全体で露出する領域の一部である
請求項１に記載のタッチパネル。
【請求項３】
前記第１電極、前記第２電極および前記絶縁層を間にして、互いに対向配置された第１光透過性部材および第２光透過性部材をさらに備え、
前記第２光透過性部材のうち、前記第１光透過性部材とは反対側の表面が検出面を形成しており、
前記中継電極は、前記第１島状電極よりも、前記第２光透過性部材に近接配置されている
請求項１に記載のタッチパネル。
【請求項４】
前記第１電極は、複数の第２島状電極と、互いに隣接する２つの第２島状電極同士を連結する連結電極とにより構成された帯状電極である
請求項１に記載のタッチパネル。
【請求項５】
前記第１島状電極および前記第２島状電極は、デルタ配列となっている
請求項４に記載のタッチパネル。
【請求項６】
映像を生成する映像生成装置と、
前記映像生成装置の表面に配置されたタッチパネルと、
前記映像生成装置および前記タッチパネルを制御する制御装置と
を備え、
前記タッチパネルは、
第１の方向に延在する複数の第１電極と、
前記第１の方向と交差する方向に延在する複数の第２電極と、
前記第１電極と前記第２電極とを絶縁分離する絶縁層と
を有し、
前記第２電極は、前記第１電極と同一の層内に形成された複数の第１島状電極と、互いに隣接する２つの第１島状電極同士を電気的に接続すると共に前記第１電極をまたぐ中継電極とにより構成された帯状電極であり、
前記絶縁層は、前記中継電極の、長手方向の両端部に対応する位置にコンタクトホールを有し、
前記中継電極の、長手方向の両端部に対応して設けられた２つのコンタクトホール間の距離は、前記中継電極の、長手方向の両端部に接する２つの第１島状電極間の距離よりも短くなっている
表示装置。
【請求項７】
表示装置を備え、
前記表示装置は、
映像を生成する映像生成装置と、
前記映像生成装置の表面に配置されたタッチパネルと、
前記映像生成装置および前記タッチパネルを制御する制御装置と
を有し、
前記タッチパネルは、
第１の方向に延在する複数の第１電極と、
前記第１の方向と交差する方向に延在する複数の第２電極と、
前記第１電極と前記第２電極とを絶縁分離する絶縁層と
を有し、
前記第２電極は、前記第１電極と同一の層内に形成された複数の第１島状電極と、互いに隣接する２つの第１島状電極同士を電気的に接続すると共に前記第１電極をまたぐ中継電極とにより構成された帯状電極であり、
前記絶縁層は、前記中継電極の、長手方向の両端部に対応する位置にコンタクトホールを有し、
前記中継電極の、長手方向の両端部に対応して設けられた２つのコンタクトホール間の距離は、前記中継電極の、長手方向の両端部に接する２つの第１島状電極間の距離よりも短くなっている
電子機器。
【発明の詳細な説明】
【技術分野】
【０００１】
本技術は、指、手、腕、ペンなどの物体（以下「指など」という）が検出面に触れた位置を検知することを可能にするタッチパネルに関する。また、本技術は、そのようなタッチパネルを備えた表示装置および電子機器に関する。
【背景技術】
【０００２】
従来から、指などで触れることにより情報を入力する技術が知られている。その中でも特に注目されている技術として、ディスプレイに表示された種々のボタンを指などで触れることにより、通常のボタンを指などで押した場合と同様の情報入力を可能とする表示装置がある。この技術は、ディスプレイとボタンの共用化を可能にすることから、省スペース化や部品点数の削減という大きなメリットをもたらす。
【０００３】
指などの接触を検出するタッチパネルには、種々のタイプのものが存在するが、スマートフォン等の、多点検出を必要とするデバイスで一般に普及しているものとして、静電容量式が挙げられる（例えば特許文献１参照）。静電容量式のタッチパネルは、例えば、検出面内にマトリックス状の電極パターンを備えており、指などで接触した位置の静電容量変化を検出するようになっている。
【先行技術文献】
【特許文献】
【０００４】
【特許文献１】特開２０１０−２７７４６１号公報
【発明の概要】
【発明が解決しようとする課題】
【０００５】
ところで、上記の電極パターンは、例えば、図１２に示したように、所定の方向に延在する複数の第１電極Ｅ１と、第１電極Ｅ１と直交する方向に延在する複数の第２電極Ｅ２とにより構成されている。第２電極Ｅ２は、例えば、第１電極Ｅ１と同一の層内に配置された複数の島状電極Ｅ３と、島状電極Ｅ３同士を電気的に接続すると共に第１電極Ｅ１をまたぐ中継電極Ｅ４とにより構成されている。ここで、中継電極Ｅ４は、第１電極Ｅ１よりも上方の層内に形成されている。そのため、検出面において、中継電極Ｅ４のシルエットが視認されてしまうという問題があった。
【０００６】
本技術はかかる問題点に鑑みてなされたものであり、その目的は、電極パターンが視認され難いタッチパネル、ならびにそれを備えた表示装置および電子機器を提供することにある。
【課題を解決するための手段】
【０００７】
本技術のタッチパネルは、第１の方向に延在する複数の第１電極と、第１の方向と交差する方向に延在する複数の第２電極と、第１電極と第２電極とを絶縁分離する絶縁層とを備えたものである。第２電極は、第１電極と同一の層内に形成された複数の第１島状電極と、互いに隣接する２つの第１島状電極同士を電気的に接続すると共に第１電極をまたぐ中継電極とにより構成された帯状電極である。絶縁層は、中継電極の、長手方向の両端部に対応する位置にコンタクトホールを有する。中継電極の、長手方向の両端部に対応して設けられた２つのコンタクトホール間の距離は、中継電極の、長手方向の両端部に接する２つの第１島状電極間の距離と同じか、またはそれよりも短くなっている。
【０００８】
本技術の表示装置は、映像を生成する映像生成装置と、映像生成装置の表面に配置されたタッチパネルと、映像生成装置およびタッチパネルを制御する制御装置とを備えたものである。
【０００９】
本技術の表示装置に含まれるタッチパネルは、上記のタッチパネルと同一の構成要素を有している。本技術の電子機器は、上記の表示装置を備えたものである。
【００１０】
本技術のタッチパネル、表示装置および電子機器では、第２電極のうち第１電極をまたぐ部分に相当する中継電極の両端部に対応して２つのコンタクトホールが設けられている。そして、これら２つのコンタクトホール間の距離が、中継電極の両端部に接する２つの第１島状電極間の距離と同じか、またはそれよりも短くなっている。これにより、上記の２つのコンタクトホール間の距離が、上記の２つの第１島状電極間の距離よりも長くなっている場合と比べて、中継電極の長手方向の長さを短くすることができ、その結果、中継電極の面積を小さくすることができる。
【発明の効果】
【００１１】
本技術のタッチパネル、表示装置および電子機器によれば、中継電極の面積を小さくすることができるようにしたので、電極パターンのシルエットを視認され難くすることができる。
【図面の簡単な説明】
【００１２】
【図１】本技術の一実施の形態に係る表示装置で用いられるタッチ検出方式の動作原理を説明するための図であり、非接触時の状態を示す図である。
【図２】本技術の一実施の形態に係る表示装置で用いられるタッチ検出方式の動作原理を説明するための図であり、タッチセンサの駆動信号および検出信号の波形の一例を示す図である。
【図３】本技術の一実施の形態に係る表示装置で用いられるタッチ検出方式の動作原理を説明するための図であり、指接触時の状態を示す図である。
【図４】本技術の一実施の形態に係る表示装置の断面構成の一例を示す図である。
【図５】図４のタッチパネルの断面構成の一例を示す図である。
【図６】図４のタッチパネルの電極パターンのレイアウトの一例を示す図である。
【図７】図６の電極パターンを拡大して示す図である。
【図８】比較例に係る電極パターンの一例を示す図である。
【図９】図４のタッチパネルの断面構成の他の例を示す図である。
【図１０】図９の電極パターンのレイアウトの一例を拡大して示す図である。
【図１１】一適用例に係る電子機器の概略構成の一例を示す図である。
【図１２】比較例に係るタッチパネルの電極パターンのレイアウトの一例を示す図である。
【発明を実施するための形態】
【００１３】
以下、発明を実施するための形態について、図面を参照して詳細に説明する。なお、説明は以下の順序で行う。
１．タッチ検出方式の基本原理
２．実施の形態
３．変形例
４．適用例
【００１４】
＜１．タッチ検出方式の基本原理＞
最初に、以下の実施の形態の表示装置で用いられるタッチ検出方式の基本原理について説明する。このタッチ検出方式は、静電容量型のタッチセンサとして具現化されるものである。図１（Ａ）は、上記のタッチセンサを模式的に表したものである。図１（Ｂ）は、図１（Ａ）のタッチセンサの等価回路と、タッチセンサに接続する周辺回路を表したものである。このタッチセンサは、誘電体１０１と、この誘電体１０１を挟んで互いに対向配置された一対の電極１０２，１０３とを備えており、等価回路では、図１（Ｂ）に示したように、容量素子１０４で表される。
【００１５】
容量素子１０４の一端（電極１０２）は交流信号源１０５に接続される。容量素子１０４の他端（電極１０３）は電圧検出回路１０６に接続され、さらに、抵抗１０７を介して基準電位線１０８に接続される。交流信号源１０５は、所定の周波数（例えば数ｋＨｚ〜十数ｋＨｚ程度）の交流矩形波Ｓgを出力するものである。電圧検出回路１０６は、入力された信号の波高値を検出し、さらに、その検出電圧に基づいてタッチセンサへの指の接触、非接触を判定するものである。基準電位線１０８は、例えば、タッチセンサが搭載されたデバイスにおいて回路動作の基準となる電位を与える部材（例えばプリント基板のグラウンド層や導電性の筐体）に電気的に接続されるものであり、その部材に接続されているときには、その部材と同電位（基準電位）となる。基準電位は、例えばグラウンド電位である。
【００１６】
このタッチセンサでは、交流信号源１０５から電極１０２に交流矩形波Ｓg（図２（Ｂ））が印加されると、電極１０３に、図２（Ａ）に示したような出力波形（検出信号Ｖdet）が現れる。
【００１７】
タッチセンサに指などの物体を接触させていない状態（図１（Ａ））では、図１（Ｂ）に示したように、容量素子１０４に対する充放電に伴って、容量素子１０４の容量値に応じた電流Ｉ0が流れる。このときの容量素子１０４の電極１０３側の電位波形は、例えば図２（Ａ）の波形Ｖ0のようになり、これが電圧検出回路１０６によって検出される。
【００１８】
一方、タッチセンサに指などの物体を接触させた状態（図３（Ａ））では、図３（Ｂ）に示したように、指などの物体によって形成される容量素子１０９が容量素子１０４に直列に追加される。この状態では、容量素子１０４，１０９に対する充放電に伴って、それぞれ電流Ｉ1，Ｉ2が流れる。このとき、電極１０３における電位波形は、例えば図２（Ａ）の波形Ｖ1のようになり、これが電圧検出回路１０６によって検出される。電極１０３の電位は、容量素子１０４，１０９を流れる電流Ｉ1，Ｉ2の値によって定まる分圧電位となる。このため、波形Ｖ1は、非接触状態での波形Ｖ0よりも小さい値となる。その後、電圧検出回路１０６によって、検出電圧と所定の閾値電圧Ｖthとが比較され、検出電圧が閾値電圧Ｖth以下であるときには非接触状態と判断される一方、閾値電圧Ｖthよりも大きいときには接触状態と判断される。このようにして、タッチ検出が行われる。なお、以下の実施の形態の表示装置において、上記とは異なる検出方式が用いられてもよい。
【００１９】
＜２．実施の形態＞
[構成]
図４は、本技術の一実施の形態に係る表示装置１の断面構成の一例を表したものである。表示装置１は、タッチセンサ付きの表示装置であり、映像生成装置１０と、静電容量型のタッチパネル２０と、制御装置３０とを備えている。タッチパネル２０は、映像生成装置１０とは別体で形成されたものであり、映像生成装置１０の表面に配置されている。制御装置３０は、映像生成装置１０およびタッチパネル２０を制御するものである。具体的には、制御装置３０は、外部から入力される映像信号に基づいて映像生成装置１０を駆動し、さらに、タッチパネル２０を駆動すると共にタッチパネル２０の検出信号に応じた信号を外部に出力するようになっている。
【００２０】
（映像生成装置１０）
映像生成装置１０は、制御装置３０から入力される信号に基づいて映像を生成するものである。映像生成装置１０は、例えば、液晶分子の配列を変化させることにより入射光を透過、変調させて映像を生成する液晶表示パネルと、液晶表示パネルを背後から照明する光源とにより構成されている。なお、映像生成装置１０は、上記とは異なる構成となっていてもよく、例えば、有機ＥＬ素子を発光させて映像を生成する有機ＥＬ表示パネルで構成されていてもよい。
【００２１】
（タッチパネル２０）
図５は、タッチパネル２０の断面構成の一例を表したものである。図６は、タッチパネル２０の電極パターンのレイアウトの一例を表したものである。なお、図５は、タッチパネル２０のうち、図６のＡ−Ａ線に対応する箇所の断面構成を表したものである。
【００２２】
タッチパネル２０は、指などで、表示装置１の映像表示面（タッチパネル２０の検出面）に触れることにより情報を入力するものである。タッチパネル２０は、例えば、上述した静電容量型のタッチセンサの一具体例に相当するものであり、ＸＹ（行列）マトリクスで、指などの検出面への接触・非接触を検出するものである。タッチパネル２０は、例えば、映像生成装置１０の表面に、接着層や粘着層を介して貼り合わされている。
【００２３】
タッチパネル２０は、配線基板２１およびカバー基板２２を、接着層２３を介して互いに貼り合わせたものである。配線基板２１とカバー基板２２とは、接着層２３を間にして互いに向き合って配置されている。配線基板２１は、例えば、基板２４の上面（カバー基板２２側の表面）に、第１導電層２５、絶縁層２６および第２導電層２７をこの順に積層したものである。カバー基板２２は、例えば、基板２８の下面（配線基板２１側の表面）に遮光層２９を設けたものである。基板２４と基板２８とは、接着層２３を間にして互いに向き合って配置されている。接着層２３は、例えば、ＵＶ硬化樹脂を硬化させたものである。
【００２４】
基板２４は、第１導電層２５、絶縁層２６および第２導電層２７の形成基板であり、第１導電層２５、絶縁層２６および第２導電層２７を保持するものである。基板２４は、絶縁性および光透過性の部材で構成されており、例えば、ガラス基板、または絶縁性および光透過性の樹脂フィルムで構成されている。基板２８は、検出面を形成すると共に第１導電層２５および第２導電層２７を覆う基板である。基板２８は、遮光層２９を保持するものでもある。基板２８は、絶縁性および光透過性の部材で構成されており、例えば、ガラス基板、または絶縁性および光透過性の樹脂フィルムで構成されている。
【００２５】
第１導電層２５および第２導電層２７は、指などの検出面への接触・非接触を検出するためのものであり、例えば、ＩＴＯ（Indium Tin Oxide；酸化インジウムスズ）などの光透過性の導電性材料で構成されている。絶縁層２６は、第１導電層２５と第２導電層２７との間に配置されている。絶縁層２６は、後述する第１電極Ｅ１と後述する第２電極Ｅ２とを互いに絶縁分離するためのものであり、例えば、アクリル樹脂などの光透過性の絶縁性材料で構成されている。絶縁層２６は、所定の位置にコンタクトホール２６Ａを有している。なお、コンタクトホール２６Ａの具体的な位置については、後に詳述する。遮光層２９は、後述の信号配線２１Ｂのシルエットが映像表示面に視認されるのを防ぐためのものであり、遮光性材料で構成されている。
【００２６】
第１導電層２５および第２導電層２７は、検出面への接触・非接触を検出するセンサー電極２１Ａと、センサー電極２１Ａと制御装置３０とを互いに接続する複数の信号配線２１Ｂとを含んで構成されている。センサー電極２１Ａは、配線基板２１の上面のうち外縁を除いた部分に対応する位置に配置されている。信号配線２１Ｂは、配線基板２１の上面のうち外縁に対応する位置に配置されている。
【００２７】
センサー電極２１Ａは、所定の方向（第１の方向）に延在する複数の第１電極Ｅ１と、第１電極Ｅ１と交差（例えば直交）する方向に延在する複数の第２電極Ｅ２とにより構成されている。第１電極Ｅ１は、第１導電層２５の一部により構成されている。つまり、第１導電層２５は、第１電極Ｅ１を含んでいる。第１電極Ｅ１は、基板２４の上面（カバー基板２２側の表面）に接して形成されており、複数の島状電極と、互いに隣接する２つの島状電極同士を連結する連結電極とにより構成された帯状電極である。ここで、連結電極の幅は、島状電極の幅よりも狭くなっている。
【００２８】
第２電極Ｅ２は、第１導電層２５の一部と、第２導電層２７の全体または一部とにより構成されている。つまり、第１導電層２５は、第１電極Ｅ１全体と、第２電極Ｅ２の一部とを含んで構成されており、第２導電層２７は、第２電極Ｅ２の一部を含んで構成されている。第２電極Ｅ２は、第１電極Ｅ１と同一の層内に配置された複数の島状電極Ｅ３と、互いに隣接する２つの島状電極Ｅ３同士を電気的に接続すると共に第１電極Ｅ１（具体的には連結電極）をまたぐ中継電極Ｅ４とにより構成された帯状電極である。つまり、第１導電層２５は、第１電極Ｅ１全体と、各島状電極Ｅ３とを含んで構成されており、第２導電層２７は、中継電極Ｅ４を含んで構成されている。ここで、中継電極Ｅ４の幅は、島状電極Ｅ３の幅よりも狭くなっている。また、島状電極Ｅ３および第１電極Ｅ１の島状電極は、デルタ配列となっている。
【００２９】
中継電極Ｅ４は、第２電極Ｅ２の延在方向に延在する帯形状となっている。中継電極Ｅ４では、一端が一の島状電極Ｅ３に接続されており、他端が他の島状電極Ｅ３に接続されており、第１電極Ｅ１をまたぐ部分が、第１電極Ｅ１よりも上方の層内に配置されている。「第１電極Ｅ１よりも上方の層」とは、絶縁層２６の上面に接する層を指しており、具体的には、第２導電層２７を指している。従って、中継電極Ｅ４は、島状電極Ｅ３よりも、基板２８に近接配置されている。中継電極Ｅ４は製造過程で一括して形成されたものであり、単層で構成されている。一方、島状電極Ｅ３は第１電極Ｅ１と共に共通の製造過程で形成されたものであり、島状電極Ｅ３および第１電極Ｅ１は同一の材料で構成されている。
【００３０】
中継電極Ｅ４の、長手方向の両端部の一部は、絶縁層２６のコンタクトホール２６Ａ内に配置されている。つまり、絶縁層２６は、中継電極Ｅ４の、長手方向の両端部に対応する位置にコンタクトホール２６Ａを有している。ここで、コンタクトホール２６Ａは、図５、図７に示したように、島状電極Ｅ３の端部が当該コンタクトホール２６Ａの底面内に露出すると共に第１電極Ｅ１が当該コンタクトホール２６Ａの底面に露出しない位置に配置されている。従って、中継電極Ｅ４は、島状電極Ｅ３のうちコンタクトホール２６Ａ内に露出している部分に接すると共に、第１電極Ｅ１とは絶縁層２６によって絶縁分離されている。
【００３１】
なお、中継電極Ｅ４の、長手方向の両端部の端面は、コンタクトホール２６Ａの外側に形成されていることが好ましく、絶縁層２６の上面に接して形成されていることが好ましい。上記の端面がコンタクトホール２６Ａの内側に形成されている場合には、上記の端面が製造誤差によって島状電極Ｅ３上（つまりコンタクトホール２６Ａの底面上）に形成される可能性がある。そのときに、島状電極Ｅ３の一部が中継電極Ｅ４で覆われず、露出した場合には、その露出部分が後工程でエッチングされ、島状電極Ｅ３と、中継電極Ｅ４との電気的な接続が分断されてしまう可能性がある。従って、そのようなことが起こるのを防ぐ上では、中継電極Ｅ４の、長手方向の両端部の端面が絶縁層２６の上面に接して形成されていることが好ましい。
【００３２】
中継電極Ｅ４の、長手方向の両端部に対応して設けられた２つのコンタクトホール２６Ａ間の距離Ｄ１は、第１電極Ｅ１の中継電極の幅Ｗ１よりも長く、中継電極Ｅ４の、長手方向の両端部に接する２つの島状電極Ｅ３間の距離Ｄ２よりも短くなっている。従って、図８の比較例に示したように距離Ｄ１が距離Ｄ２よりも長くなっている場合と比べて、中継電極Ｅ４の長手方向の長さが短くなっており、かつ、中継電極Ｅ４の面積が小さくなっている。ところで、中継電極Ｅ４の面積が小さくなるにつれて、中継電極Ｅ４のシルエットが映像表示面に視認され難くなる。本実施の形態のように、距離Ｄ１が距離Ｄ２よりも短くなっていることにより、中継電極Ｅ４のシルエットが映像表示面に視認されることはほとんどない。
【００３３】
一方、図８の比較例において、コンタクトホール２６Ａの底面が確実に島状電極Ｅ３上に形成されるようにした場合には、コンタクトホール２６Ａと、島状電極Ｅ３の端面との距離Ｄ３が、製造誤差を考慮した長さ（例えば１５μｍ）になっていることが必要となる。従って、図８の比較例では、中継電極Ｅ４の長手方向の長さが、本実施の形態の中継電極Ｅ４の長手方向の長さよりも少なくとも、例えば３０μｍ長くなるので、中継電極Ｅ４のシルエットが映像表示面にはっきりと視認される可能性がある。
【００３４】
[動作]
次に、本実施の形態の表示装置１における動作の一例について説明する。まず、例えば、表示装置１の電源投入により、制御装置３０は、タッチパネル２０の動作を開始する。制御装置３０は、まず、センサー電極２１Ａに含まれる１または複数の電極（第１電極Ｅ１，第２電極Ｅ２）を選択し、選択した電極に交流信号を印加する。このとき、指などが検出面に接触していたとすると、制御装置３０は、指などの検出面への接触によってセンサー電極２１Ａに生じた静電容量の変化を、出力電圧の変化として検知する。制御装置３０は、検知された出力電圧（または出力電圧の変化）の情報に基づいて、指などの接触座標を導出する。制御装置３０は、導出した、指などの接触座標についての情報を外部に出力する。
【００３５】
[効果]
次に、本実施の形態の表示装置１の効果について説明する。本実施の形態では、中継電極Ｅ４の両端部に対応して設けられた２つのコンタクトホール２６Ａ間の距離Ｄ１が、中継電極Ｅ４の両端部に接する２つの島状電極Ｅ３間の距離Ｄ２よりも短くなっている。これにより、距離Ｄ１が距離Ｄ２よりも長くなっている場合（図８参照）と比べて、中継電極Ｅ４の長手方向の長さを短くすることができ、かつ、中継電極Ｅ４の面積を小さくすることができる。その結果、電極パターンのシルエットを視認され難くすることができる。
【００３６】
また、本実施の形態では、コンタクトホール２６Ａ位置の最適化を図ることにより、中継電極Ｅ３の面積の縮小を可能にしている。そのため、図８の比較例で示された電極構造に対して新たな部材を追加したり、電極構造の根本的な変更を行ったりする必要がない。従って、図８の比較例で示された電極構造の製造工程数と同一の工程数で、センサー電極２１Ａを製造することができる。
【００３７】
＜３．変形例＞
以上、実施の形態を挙げて本技術を説明したが、本技術は実施の形態に限定されるものではなく、種々の変形が可能である。
【００３８】
［第１変形例］
例えば、上記実施の形態では、距離Ｄ１が距離Ｄ２よりも短くなっていたが、図９、図１０に示したように、距離Ｄ１が距離Ｄ２と等しくなっていてもよい。ただし、この場合には、コンタクトホール２６Ａの底面には、島状電極Ｅ３の上面だけが露出していることになる。
【００３９】
［第２変形例］
また、上記実施の形態および第１変形例では、第１導電層２５、絶縁層２６および第２導電層２７の形成基板である基板２４が設けられていたが、基板２４の代わりに、光透過性の絶縁層が設けられていてもよい。また、基板２４の代わりに第１光透過性部材が設けられると共に、基板２８の代わりに第２光透過性部材が設けられていてもよい。このとき、第２光透過性部材のうち、第１光透過性部材とは反対側の表面が検出面を形成している。
【００４０】
＜４．適用例＞
次に、上記実施の形態およびその変形例に係る表示装置１の一適用例について説明する。図１１は、本適用例に係る電子機器１００の概略構成の一例を表す斜視図である。電子機器１００は、携帯電話機であり、例えば、図１１に示したように、本体部１１１と、本体部１１１に対して開閉可能に設けられた表示体部１１２とを備えている。本体部１１１は、操作ボタン１１５と、送話部１１６を有している。表示体部１１２は、表示装置１１３と、受話部１１７とを有している。表示装置１１３は、電話通信に関する各種表示を、表示装置１１３の表示画面１１４に表示するようになっている。電子機器１００は、表示装置１１３の動作を制御するための制御部（図示せず）を備えている。この制御部は、電子機器１００全体の制御を司る制御部の一部として、またはその制御部とは別に、本体部１１１または表示体部１１２の内部に設けられている。
【００４１】
表示装置１１３は、上記実施の形態およびその変形例に係る表示装置１と同一の構成を備えている。これにより、表示装置１において、電極パターンのシルエットが視認され難くなっているので、高い表示品質が得られる。
【００４２】
なお、上記実施の形態およびその変形例に係る表示装置１を適用可能な電子機器としては、以上に説明した携帯電話機等の他にも、パーソナルコンピュータ、液晶テレビ、ビューファインダ型またはモニタ直視型のビデオテープレコーダ、カーナビゲーション装置、ページャ、電子手帳、電卓、ワードプロセッサ、ワークステーション、テレビ電話機、ＰＯＳ端末器等が挙げられる。
【００４３】
また、例えば、本技術は以下のような構成を取ることができる。
（１）
第１の方向に延在する複数の第１電極と、
前記第１の方向と交差する方向に延在する複数の第２電極と、
前記第１電極と前記第２電極とを絶縁分離する絶縁層と
を備え、
前記第２電極は、前記第１電極と同一の層内に形成された複数の第１島状電極と、互いに隣接する２つの第１島状電極同士を電気的に接続すると共に前記第１電極をまたぐ中継電極とにより構成された帯状電極であり、
前記絶縁層は、前記中継電極の、長手方向の両端部に対応する位置にコンタクトホールを有し、
前記中継電極の、長手方向の両端部に対応して設けられた２つのコンタクトホール間の距離は、前記中継電極の、長手方向の両端部に接する２つの第１島状電極間の距離と同じか、またはそれよりも短くなっている
タッチパネル。
（２）
前記第１電極、前記第２電極および前記絶縁層を間にして、互いに対向配置された第１光透過性部材および第２光透過性部材をさらに備え、
前記第２光透過性部材のうち、前記第１光透過性部材とは反対側の表面が検出面を形成しており、
前記中継電極は、前記第１島状電極よりも、前記第２光透過性部材に近接配置されている
（１）に記載のタッチパネル。
（３）
前記第１電極は、複数の第２島状電極と、互いに隣接する２つの第２島状電極同士を連結する連結電極とにより構成された帯状電極である
（１）または（２）に記載のタッチパネル。
（４）
前記第１島状電極および第２島状電極は、デルタ配列となっている
（３）に記載のタッチパネル。
（５）
映像を生成する映像生成装置と、
前記映像生成装置の表面に配置されたタッチパネルと、
前記映像生成装置および前記タッチパネルを制御する制御装置と
を備え、
前記タッチパネルは、
第１の方向に延在する複数の第１電極と、
前記第１の方向と交差する方向に延在する複数の第２電極と、
前記第１電極と前記第２電極とを絶縁分離する絶縁層と
を有し、
前記第２電極は、前記第１電極と同一の層内に形成された複数の第１島状電極と、互いに隣接する２つの第１島状電極同士を電気的に接続すると共に前記第１電極をまたぐ中継電極とにより構成された帯状電極であり、
前記絶縁層は、前記中継電極の、長手方向の両端部に対応する位置にコンタクトホールを有し、
前記中継電極の、長手方向の両端部に対応して設けられた２つのコンタクトホール間の距離は、前記中継電極の、長手方向の両端部に接する２つの第１島状電極間の距離と同じか、またはそれよりも短くなっている
表示装置。
（６）
表示装置を備え、
前記表示装置は、
映像を生成する映像生成装置と、
前記映像生成装置の表面に配置されたタッチパネルと、
前記映像生成装置および前記タッチパネルを制御する制御装置と
を有し、
前記タッチパネルは、
第１の方向に延在する複数の第１電極と、
前記第１の方向と交差する方向に延在する複数の第２電極と、
前記第１電極と前記第２電極とを絶縁分離する絶縁層と
を有し、
前記第２電極は、前記第１電極と同一の層内に形成された複数の第１島状電極と、互いに隣接する２つの第１島状電極同士を電気的に接続すると共に前記第１電極をまたぐ中継電極とにより構成された帯状電極であり、
前記絶縁層は、前記中継電極の、長手方向の両端部に対応する位置にコンタクトホールを有し、
前記中継電極の、長手方向の両端部に対応して設けられた２つのコンタクトホール間の距離は、前記中継電極の、長手方向の両端部に接する２つの第１島状電極間の距離と同じか、またはそれよりも短くなっている
電子機器。
【符号の説明】
【００４４】
１…表示装置、１０…映像生成装置、２０…タッチパネル、２１…配線基板、２１Ａ…センサー電極、２１Ｂ…信号配線、２２…カバー基板、２３…接着層、２４，２８…基板、２５…第１導電層、２６…絶縁層、２６Ａ…コンタクトホール、２７…第２導電層、２９…遮光層、３０…制御装置、１００…電子機器、１０１…誘電体、１０２，１０３…電極、１０４，１０９…容量素子、１０５…交流信号源、１０６…電圧検出回路、１０７…抵抗、１０８…基準電位線、１１１…本体部、１１２…表示体部、１１３…表示装置、１１４…表示画面、１１５…操作ボタン、１１６…送話部、１１７…受話部、Ｄ１，Ｄ２，Ｄ３…距離、Ｅ１…第１電極、Ｅ２…第２電極、Ｅ３…島状電極、Ｅ４…中継電極、Ｉ０，Ｉ１，Ｉ２…電流、Ｓｇ…交流矩形波、Ｖｄｅｔ…検出信号、Ｖ０，Ｖ１…波形、Ｖｔｈ…閾値電圧、Ｗ１…幅。
【図１】
0005836817.tif 000002
【図２】
0005836817.tif 000003
【図３】
0005836817.tif 000004
【図４】
0005836817.tif 000005
【図５】
0005836817.tif 000006
【図６】
0005836817.tif 000007
【図７】
0005836817.tif 000008
【図８】
0005836817.tif 000009
【図９】
0005836817.tif 000010
【図１０】
0005836817.tif 000011
【図１１】
0005836817.tif 000012
【図１２】
0005836817.tif 000013